(57)【要約】【課題】複層ガラスを框枠によってシール支持するに当たり、框の見付け寸法を極力小さくした縁枠付き複層ガラスを提供する。【解決手段】上框２、下框３及び左右縦框４，５からなる框枠Ｋと、この框枠Ｋによって支持されるとともに、室外側ガラスＧＯと室内側ガラスＧＩとが周方向に沿って配設されたスペーサ９を介し所定幅の空間が形成された状態で組み合わされた複層ガラスＧとからなる縁枠付き複層ガラスユニット１において、前記各框２〜５の内面側には複層ガラスＧを嵌合させるためのガラス嵌合溝Ｍを有し、前記複層ガラスＧの端面を前記ガラス嵌合溝Ｍの底部に実質的に接触させた状態で設置し、複層ガラスＧを跨ぐ室内面側及び室外面側の溝空間内にシール材８を充填して固定を図る。【選択図】図３
2008063748.tif 000002
【特許請求の範囲】
【請求項１】
上框、下框及び左右縦框からなる框枠と、この框枠によって支持されるとともに、室外側ガラスと室内側ガラスとが周方向に沿って配設されたスペーサを介し所定幅の空間が形成された状態で組み合わされた複層ガラスとからなる縁枠付き複層ガラスユニットにおいて、
前記各框の内面側には複層ガラスを嵌合させるための溝を有し、前記複層ガラスの端面を前記溝の底部に実質的に接触させた状態で設置し、複層ガラスを跨ぐ室内面側及び室外面側の溝空間内にシール材を充填したことを特徴とする縁枠付き複層ガラスユニット。
【請求項２】
前記複層ガラスを跨ぐ室内面側及び室外面側の溝空間幅を３〜９mmとし、接着剤として、シリコーン系、ブチルゴム系又は合成ゴム系シール材を充填する請求項１記載の縁枠付き複層ガラスユニット。
【発明の詳細な説明】
【技術分野】
【０００１】
本発明は、見付け幅を小さくできるとともに、複層ガラスの剛性付与に寄与し得る縁枠付き複層ガラスユニットに関する。
【背景技術】
【０００２】
近年、一般住宅や低層ビル等では、騒音対策や結露対策のために、複層ガラスを採用したサッシが多く使用されるようになってきた。複層ガラスを框によって支持する方法としては、框の内方面側に形成された凹部に複層ガラスを呑み込ませるとともに、グレージングチャンネル又はシール材によって固定する方法が一般的である。
【０００３】
シール材によって複層ガラスを固定する場合には、下記特許文献１に示されるように、サッシ５０の溝５１にセッティングブロック５２を置き、その上に、スペーサ５３を介して一定の間隔を置いて平行に配置してなる複層ガラス５４を載せ、溝５１の左壁と複層ガラス５４との間にバックアップ材５５及びシーリング材５６、複層ガラス５４と溝５１の右壁との間にバックアップ材５５及びシーリング材５６を充填するようにしている（図４参照）。
【特許文献１】特開２００１−２４８３６３号公報
【発明の開示】
【発明が解決しようとする課題】
【０００４】
従来のサッシ構造は、室外側から障子の框が見えるのが当然であったが、近年は居住者のデザイン志向の高まりによって、極力框を見せないようにすることによりデザイン性を与えたものが好まれる傾向にある。
【０００５】
しかしながら、前記特許文献１記載の複層ガラスの支持構造の場合は、セッティングブロック５２をサッシ５０の溝底面に載置する分だけ、溝が深くなり、その結果サッシ５０の見付け寸法が大きくなってしまう問題があった。
【０００６】
そこで本発明の主たる課題は、複層ガラスを框枠によってシール固定するに当たり、框の見付け寸法を極力小さくした縁枠付き複層ガラスを提供することにある。
【課題を解決するための手段】
【０００７】
前記課題を解決するために請求項１に係る本発明として、上框、下框及び左右縦框からなる框枠と、この框枠によって支持されるとともに、室外側ガラスと室内側ガラスとが周方向に沿って配設されたスペーサを介し所定幅の空間が形成された状態で組み合わされた複層ガラスとからなる縁枠付き複層ガラスユニットにおいて、
前記各框の内面側には複層ガラスを嵌合させるための溝を有し、前記複層ガラスの端面を前記溝の底部に実質的に接触させた状態で設置し、複層ガラスを跨ぐ室内面側及び室外面側の溝空間内にシール材を充填したことを特徴とする縁枠付き複層ガラスユニットが提供される。
【０００８】
上記請求項１記載の発明においては、複層ガラスの端面を前記溝の底部に実質的に接触させた状態で設置し、複層ガラスを跨ぐ室内面側及び室外面側の溝空間内に接着剤を充填することにより、ガラスと框枠との固定を図るようにしたものであり、セッティングブロックを無くしたことにより、框の見付け寸法を極力小さくすることができる。また、複層ガラスは框枠と一体とされることによって剛性が大きくなるとともに、框内での移動が無く、框はガラスと一体的に移動するため、地震等によってガラスに掛かる外力は框枠全体に伝えられ、一体の挙動を示すようになる。更に、予め複層ガラスと框枠とを一体化したことで、現地での施工が容易となる。
【０００９】
請求項２に係る本発明として、前記複層ガラスを跨ぐ室内面側及び室外面側の溝空間幅を３〜９mmとし、接着剤として、シリコーン系、ブチルゴム系又は合成ゴム系シール材を充填する請求項１記載の縁枠付き複層ガラスユニットが提供される。
【発明の効果】
【００１０】
以上詳説のとおり本発明によれば、複層ガラスを框枠によってシール固定するに当たり、框の見付け寸法を極力小さくすることが可能となる。
【発明を実施するための最良の形態】
【００１１】
以下、本発明の実施の形態について図面を参照しながら詳述する。
【００１２】
図１は本発明に係る縁枠付き複層ガラスユニット１を使用した開閉窓の縦断面図、図２はその横断面図である。図３は縁枠付き複層ガラス１を示す横断面図及び縦断面図である。
【００１３】
縁枠付き複層ガラスユニット１は、上框２、下框３及び左右縦框４，５からなる框枠Ｋと、この框枠Ｋによって支持されるとともに、室外側ガラスＧＯと室内側ガラスＧＩとが周方向に沿って配設されたスペーサ６を介し所定幅の空間Ａが形成された状態で組み合わされたもので、前記各框２〜５の内面側には複層ガラスＧを嵌合させるための溝を有し、前記複層ガラスＧの端面を前記溝の底部に実質的に接触させた状態で設置し、複層ガラスＧを跨ぐ室内面側及び室外面側の溝空間内にシール材８を充填した構造となっている。
【００１４】
以下、更に具体的に詳述する。
【００１５】
前記複層ガラスＧは、詳細には図３に示されるように、室外側ガラスＧＯと室内側ガラスＧＩとが周方向に沿って配設されたスペーサ６を介し所定幅の空間Ａが形成された状態で組み合わされたもので、前記室外側ガラスＧＯと室内側ガラスＧＩとの間であって、前記スペーサ６の外周側にはシール材７が充填されている。前記スペーサ６としては一般的に、合成ゼオライト等の乾燥材が充填された部材が用いられる。また、シール材７としては、ホットメルトブチルなどのシール材が使用され、外面は図示例ではガラスＧＯ、ＧＩの端部と面一とされる。
【００１６】
框枠Ｋの内、上框２及び下框３は、図３(B)に示されるように、ビスポケットが形成された中空部２ａ、３ａと、中空部２ａ、３ａの外周側壁面位置より室外側に突出する見込みフランジ２ｂ、３ｂと、この見込みフランジ２ｂ、３ｂの先端から内方側に延出する第１見付けフランジ２ｃ、３ｃと、前記見込みフランジ２ｂ、３ｂの先端から外方側に延出する第２見付けフランジ２ｄ、３ｄとからなる形材であり、前記中空部２ａ、３ａの室外側壁面と、見込みフランジ２ｂ、３ｂと、第１見付けフランジ２ｃ、３ｃとによって断面コ字状のガラス嵌合溝Ｍが構成されている。
【００１７】
一方、左右縦框４，５も同様に、図３(A)に示されるように、中空部４ａ、５ａと、中空部４ａ、５ａの外周側壁面位置より室外側に突出する見込みフランジ４ｂ、５ｂと、この見込みフランジ４ｂ、５ｂの先端から内方側に延出する第１見付けフランジ４ｃ、５ｃと、前記見込みフランジ４ｂ、５ｂの先端から外方側に延出する第２見付けフランジ４ｄ、５ｄとからなる形材であり、前記中空部４ａ、５ａの室外側壁面と、見込みフランジ４ｂ、５ｂと、第１見付けフランジ４ｃ、５ｃとによって断面コ字状のガラス嵌合溝Ｍが構成されている。
【００１８】
前記上框２、下框３と左右縦框４，５との接合は、左右縦框４，５側から上框２、下框３のビスポケットに螺入させたビスによって成されるが、上框２、下框３の端面を左右縦框４，５の側面に突き合わせる接合方式よりは、接合する框の端面を４５°方向に切断し、突き合わせるオオトメ接合が好適である。オオトメ接合とすることで、突合わせ部の形状が単純化され、仕上がりが美麗となる。
【００１９】
前記框枠Ｋによって前記複層ガラスＧを支持するには、前記複層ガラスＧの端面を前記ガラス嵌合溝Ｍの底部に実質的に接触させた状態で設置し、複層ガラスＧを跨ぐ室内面側及び室外面側の溝空間内にシール材８を充填する。ここで、前記複層ガラスＧを跨ぐ室内面側及び室外面側の溝空間幅は３〜９mm、好ましくは４〜６mmとし、流動性を有する硬化性のシール材８を充填することにより固定を図る。ここで、「実質的に接触させた状態」とは、基本はガラス端面の全面をガラス嵌合溝Ｍの底部に接触させることを前提とするが、ガラスの製作精度により一部に非接触の部分があっても許容する意味である。
【００２０】
前記シール材８としては、シリコーン系、ポリウレタン系、アクリル系、ブチルゴム系、合成ゴム系等種々のものが存在するが、硬化時間が短く、耐水性が良好であるとともに、金属との接着性に優れたシリコーン系、ブチルゴム系及び合成ゴム系シール材が好適である。
【００２１】
前記縁枠付き複層ガラスユニット１は窓枠９に対して、図１及び図２に示されるように、蝶番１０によって開閉自在に取り付けられる。取付け状態で分かるように、第２見付けフランジ２ｄ〜５ｄが窓枠９の室外側面に設けられたレインバリヤ１１と接触することにより、気水密性が確保されるようになっている。
【００２２】
〔他の形態例〕
(1)上記形態例では、突出し窓の例で本発明に係る縁枠付き複層ガラスユニット１について述べたが、窓型式は任意である。すなわち、内倒し窓、外倒し窓、辷り出し窓、嵌め殺し窓等、任意の窓に対して適用可能である。
【図面の簡単な説明】
【００２３】
【図１】本発明に係る縁枠付き複層ガラスユニット１を使用した開閉窓の縦断面図である。
【図２】その横断面図である。
【図３】縁枠付き複層ガラス１を示す、(A)は横断面図、(B)は縦断面図である。
【図４】従来の複層ガラスの支持構造を示す要部断面図である。
【符号の説明】
【００２４】
１…縁枠付き複層ガラスユニット、２…上框、３…下框、４・５…縦框、６…スペーサ、７・８…シール材、９…窓枠、１０…蝶番、１１…レインバリヤ、Ｇ…複層ガラス、ＧＯ…室外側ガラス、ＧＩ…室内側ガラス、Ｍ…ガラス嵌合溝
【図１】
2008063748.tif 000003
【図２】
2008063748.tif 000004
【図３】
2008063748.tif 000005
【図４】
2008063748.tif 000006